(57)【要約】【課題】ロータリーフィーダーによる定量搬送時、フィーダー回転翼に仕切られた搬送室内の搬送残留物の付着や固着等を防止し、工程ごとの完全払い出しによる定量供給は可能か。【解決手段】ロータリーの回転翼車の軸を中空として翼車の仕切羽根間に囲まれた各室個々の前記中空軸に穿孔する。この翼車の中空軸に穿孔させた中空軸を挿入して滑合させ、内側中空軸は穿孔させた位置が下部になるよう固定してさらに中空軸の端部を閉塞させ、もう片方の開放側端部より送気させる。回転翼車の軸の穿孔と固定軸の穿孔とが合致したときに空気は仕切羽根で囲まれた搬送室に吹き出し、排出された搬送部は下部の送気管の噴流空気流に乗って空送される。【選択図】図１
2009184821.tif 000002
【特許請求の範囲】
【請求項１】
片側の端末を密封させた中空管の反対側を解放状態とし、前記中空管の下部位置に穿孔して固定状態とし、更に中空管を滑合状態に挿入させた中空管に軸と平行に仕切板を円周に放射状に等間隔に並べ、それぞれ仕切間に穿孔を設けて内筒軸穿孔と外筒回転軸孔とが合致したとき連通させ、他の仕切間の穿孔は閉塞させて回転仕切板の外周を包んだケーシングの上面側に供給口と下面に排出口と送風管とを接合させ、面板で囲んだロータリーフィーダー。
【請求項２】
前記ロータリーフィーダーの固定中空管と回転中空管の間に連通孔を１箇所有し、他はすべて空気遮断を構成するパッキンを挿入させた前記請求項１のロータリーフィーダー。
【発明の詳細な説明】
【技術分野】
【０００１】  本発明は紙片、粉砕廃プラスチックゴミ、シュレッダーゴミ、粉体等を貯蔵サイロより空気輸送によるロータリーフィーダー翼車間に残留物を残さずに完全排出し、風送する風の流れに乗せるものである。
【背景技術】
【０００２】  風送搬送物である石灰、セメント、破砕したプラスチック、シュレッダーゴミ、紙などの小片等が少量の吸湿によりロータリーフィーダーの翼車間に付着を起こし、又ロータリーフィーダーの上部にもうけた貯蔵ビンの貯蔵物の重量加圧により翼車形状断面が軸心に近い位置では梯形の狭まった先端部となる関係で広い面積で搬送物を掬い、狭い面積に詰められる作用により排出が困難であった。【０００３】  これらを解消させようと翼車の一室当りの体積を小さくしたり翼車の直径を大きくさせ、翼車の回転速度を遅くさせて自重落下を促せたりの対策を採ってきた。
貯蔵ビンの翼車に及ぼす積圧を一定にさせるため翼車の転載部に柵、または障害物を設けると、本来の定量転載が逆にサイロ上部でのブリッジ、アーチング、付着、ラットホール、閉塞の原因となった。【０００４】  前記不具合防止のためサイロとロータリーフィーダー間には何も無い状態で、ロータリーフィーダーの翼車には貯蔵圧力により自然充填されるのが良い。そこでロータリーフィーダー翼車を構成している面板より仕切羽根間に圧送風気を挿気させ、反対側の面板を突き抜けさせると面板間で挟まれた室内の搬送物は送り出されるが、仕切板と仕切板と回転軸の空間の狭い部位には一部搬送物が残る欠点があった。【０００５】  ロータリーフィーダー翼車で払い出した搬送物は圧縮空気によりダクト内で空気中に混合して風送されるが、あくまでも搬送風気中の分散混合率が良好という条件の場合のみに限られ、普通に前記面板から面板に吹き抜けさせた場合にはロータリーフィーダー外部ケーシングと面板と面板と回転軸と翼車仕切羽根との空間では乱流の状態になり、空間の隅に風送圧が影響して完全排出が生じない欠点があった。
【特許文献１】特開２００３−３４１８４０号公報
【特許文献２】特開平６−８０７４０号公報
【非特許文献１】３０年程前のクマクラ工業株式会社のロータリーフィーダー図面
【発明の開示】
【発明が解決しようとする課題】
【０００６】  解決しようとする問題点はロータリーフィーダーの仕切羽根、面板、外部ケーシングとで囲まれた空間の隅々に、構造上どうしても生じる搬送物の付着による残留物を剥離させ、風送エネルギーである圧送風に乗せられるか。
【課題を解決するための手段】
【０００７】  ロータリーフィーダーの翼車の軸を中空軸とし、更に内部に固定させた中空軸を挿入させて固定時の下部位置に穿孔した空気口を設け、中空固定軸の片方より送気させて片方を盲蓋で封止する。
フィーダー回転翼の中心の中空軸に放射状に仕切板を設けた中空回転軸外周にも各室ごとに穿孔させ、この穿孔と固定軸の穿孔とが合致すると空気が噴出し、仕切羽根間内の搬送物を排出させる。
【発明の効果】
【０００８】  本発明のロータリーフィーダーは固定軸に重設した回転翼の中空軸に通気口を設け、それぞれ放射状に仕切られた搬送室に設けた通気口より噴出空気を放出させることで梯形断面の充填物を排出する効果がある。
特に廃プラスチック油化装置におけるプラスチックフラフの定量供給において有用である。
【発明を実施するための最良の形態】
【０００９】  ２重軸の内部に圧力空気を常時押し込み、ロータリー翼車の回転軸に設けた穿孔と回転翼中空軸に穿孔した穴とが合致すると、中空軸より圧力空気が自動的に噴出して回転翼の仕切板に囲まれた搬送物を的確に排出する。
【実施例１】
【００１０】  図１は本発明のロータリーフィーダーの実施方法を示した側面断面図である。搬送物は上部貯蔵ビンより自然重力供給によりロータリーフィーダー供給口１に供給され、回転ローターのロータリーフィーダー仕切羽根４を回転矢印の方向に低速回転させる。【００１１】  搬送物は仕切羽根４に掬い取られて順次ローター回転により順送りされる。
完全排出に至る動作は搬送物がケーシング２と面板１７とローター中空回転軸５と仕切羽根４に囲まれた状態の搬送室１６ごとに供給側から排出側に送られる。【００１２】  固定中空軸６の固定された下側に固定中空軸穿孔９が設けられている。
更にケーシング２のケーシング切除部７の下部にベンチュリー管３がベンチュリー部で接続され、この絞り風送管のベンチュリー送気口１４より圧縮空気を採り入れてベンチュリー部で風速・風圧を高めた後、ベンチュリー排気口１５より追い出される。【００１３】  ロータリー回転中空軸に設けた穿孔８は搬送室１６ごとに穿孔し、回転翼が回転すると固定中空軸穿孔と合致したときに開口より圧縮空気が吹き出す。
この吹き出す空気により搬送室の搬送物は押し出されてベンチュリー開口部に落下する。【００１４】  本来ローター回転翼の搬送室は正面からの断面のように台形状をなしているため、投入側掬い口が広くて排出口も広い構造になっているが、回転軸と仕切羽根とに囲まれた部分は狭くなっているため残留が生じる。【００１５】  特に紙片やプラスチック片等の搬送物は比重が軽いため接触面積に比べて一片当りの重量が軽いのと、ベンチュリー開口部よりの圧送空気の一部が搬送室への入気により壁面に押されて剥離が悪くなるが、台形の狭い天部よりの空気吹き出しによる剥離の効果は大きい。【００１６】  ロータリー搬送室より吹き出した空気と搬送物はケーシング下部の欠損部より排出され、ベンチュリー管の圧送風気に乗って搬送される。【００１７】  圧送風は当然搬送室が回転してケーシングと面板とに阻止されながら移動するが、一部空室になった搬送室に流入して次の工程で搬送物を掬い取るときに悪影響が生じるのを防止するため差圧管１８に通して供給口にリターンさせる。【００１８】  この流入空気を差圧管でもって供給口に入気させると、供給物を浮かせ供給物のブリッジ現象の防止により供給物の掬い込みが容易になる利点がある。【００１９】  図２は正面を側面の中心より切断した断面図である。
符号８は搬送室の回転中空軸５を一室ごとに穿孔し、固定軸穿孔９と合致したときに空気が噴出する。
放射状に配置した回転翼の仕切羽根と回転軸は一体化して各搬送室の回転軸には穿孔されているが、固定軸孔が一箇所のため合致しない状態では固定軸内の空気は噴出しない。
【実施例２】
【００２０】  図３は中空回転軸５の内周にシールパッキン１９と軸受１０を設けて、さらに中空固定軸６を嵌合させた実施方法を示した側面断面図である。固定軸外周に一箇所空気口を開けたシールリングを嵌合させ、前記空気口を固定軸穿孔９に合致させて接着させる。ロータリー翼の回転軸内周はシールリング外周に接し、摺動回転をさせて空気漏れを防止する。
【図面の簡単な説明】
【００２１】
【図１】ロータリーフィーダーの実施方法を示した説明図である。（実施例１）
【図２】ロータリーフィーダーの実施方法を示した説明図である。（実施例１）
【図３】ロータリーフィーダー噴出口と固定軸、回転軸の関係図である。（実施例２）
【図４】固定軸穿孔と回転軸間の滑合シールパッキンの穿孔の関係図である。（実施例１、２）
【符号の説明】
【００２２】  １  供給口
２  ケーシング
３  ベンチュリー風管
４  ロータリーフィーダー仕切羽根
５  回転中空軸
６  固定中空軸
７  ケーシング欠損部
８  回転中空軸穿孔
９  固定中空軸穿孔
１０  軸受
１１  盲蓋
１２  駆動用スプロケット
１３  固定中空軸送気口
１４  ベンチュリー送気口
１５  ベンチュリー排気口
１６  搬送室
１７  面板
１８  差圧管
１９  シールパッキン
【図１】
2009184821.tif 000003
【図２】
2009184821.tif 000004
【図３】
2009184821.tif 000005
【図４】
2009184821.tif 000006